(57)【要約】【課題】遮断器本体が断路，試験及び接続のいずれかの位置に正確に位置していることを視覚的に確認できる引出型回路遮断器の位置決め装置を提供する。【解決手段】引出ねじ１を回転させることによってラック２及び歯車６を介して引出メインシャフト３上のカム板１６を回転させて遮断器本体を移動させている間，ロック解除位置に留まるロック解除レバー１０は，ばね１９によって付勢されるローラ１８がカム板１６の外周縁１６ａから位置決め窪み（１６ｃ，１６ｄ，１６ｅ）にはまり込んだとき，リンク板Ｂ１５を介して中継レバー８を反時計方向に回転させリンク板Ａ１３を介してロック解除レバー１０を時計方向に回転させて表示・操作腕１０ａを上方のロック位置に大きく移動させる。【選択図】  図１
2004304858.tif 000002
【特許請求の範囲】
【請求項１】
引出枠と引出枠内の所定位置の間を移動可能な遮断器本体を有する引出型回路遮断器において，
正面に操作端（１ａ）を有し外周にロック窪み（１ｃ）を有する奥行き方向に延びる引出ねじ（１）と，
前記引出ねじを回転させることによって回転し前記遮断器本体を移動させる引出メインシャフト（３）と，
前記引出メインシャフトと共に回転し外周縁（１６ａ）に前記所定位置に対応した位置決め窪み（１６ｂ，１６ｃ，１６ｄ，１６ｅ）が形成されたカム板（１６）と，
前記遮断器本体の移動操作を防止するロック位置とロック解除位置との間で回転自在であってロック位置方向への付勢手段（２９）が設けられたロック解除レバー（１０）と，
中継レバー（８）と，
前記ロック解除レバーと中継レバーとを連結するリンク板Ａ（１３）と，
一端が前記中継レバーに連結され他端（１８）が前記カム板の外周縁と係合するリンク板Ｂ（１５）と，
前記リンク板の他端を前記外周縁と係合する方向に付勢するばね（１９）と，
ロック解除操作をしたとき前記ロック解除レバーの回転をロック解除位置で停止させるストッパ（２８）と，
前記ロック窪みと対向する位置に設けられた前記中継レバーの回転に連動するように設けられたロックピン（２１）と，
を含み，
前記リンク板Ｂの他端が前記位置決め窪みに達して前記ロックピンが前記ロック窪みにはまり込んだとき，前記リンク板Ａ及び前記中継レバーの変位によって前記ロック解除レバーがロック位置へ回転し，
前記ロック解除レバーをロック位置からロック解除位置まで回転させたのち前記ロック解除レバーを自由状態としたとき，前記ロックピンが前記ロック窪みから離脱するとともに，前記リンク板Ｂの他端が前記位置決め窪みの開口部付近まで移動して前記中継レバーが回転し，前記ばねの作用により前記リンク板Ａを介して前記ロック解除レバーを前記ストッパと係合した状態で保持されたロック解除保持状態となり，
前記ロック解除レバーを自由状態としたあと前記カム板を回転させて前記リンク板Ｂの他端を前記カム板の外周縁上に移動させたとき，前記中継レバーが回転して前記ロック解除レバーが前記ストッパから離脱し前記付勢手段の作用力により前記ロック解除保持状態が解除されることを特徴とする引出型回路遮断器の位置決め装置。
【請求項２】
前記中継レバーと連動するように前記引出ねじの操作端の前面を覆う回転自在に設けられたシャッタ（２３）と，遮断器本体の開閉機構がＯＮからＯＦＦになったとき変位するピン（５４）と前記中継レバーとを連結するリンク部材（５５，５２，５３）とを設け，
前記リンク部材は，前記開閉機構がＯＮ位置にあるときは前記シャッタを閉じるとともに前記シャッタが開いているときは前記開閉機構のラッチ部材の係合を解除させて前記開閉機構がＯＮになることを防止するように設けられることを特徴とする請求項１の引出型回路遮断器の位置決め装置。
【発明の詳細な説明】
【０００１】
【発明の属する技術分野】
本発明は，引出型回路遮断器の位置決め装置に関する。
【０００２】
【従来の技術】
引出型回路遮断器は引出枠とこの引出枠内を水平方向に移動する遮断器本体を有し，双方の主回路導体を接続及び断路する主回路断路装置と双方の補助回路導体を接続及び断路する二次断路装置を備えている。この引出型回路遮断器は，遮断器本体が断路位置にあるときは双方の主回路導体及び補助回路導体は互いに断路状態にあり，断路位置から試験位置に挿入移動される途中に補助回路導体だけが接続され，試験位置から接続位置に挿入移動される途中で主回路導体も接続される構造となっている。
【０００３】
図６ないし図９は，特公平２−２０１１号公報に開示されている引出型回路遮断器の遮断器本体の位置決め装置を示している。図６を参照して，遮断器本体１０１は引出枠１０２に収納され，奥行き方向に延びる引出ねじ１０３の正面側の端部に操作ハンドルを取り付けて回転することにより，詳細が図示されていないウォーム機構を介して，左右方向に配置された引出メインシャフト１０４が回転する。遮断器本体１０１が接続位置にある図７を参照して，引出枠１０２には縦溝１０５が形成されており，縦溝１０５には引出メインシャフト１０４と共に回転するレバー１０６に設けられたローラ１０７がはめ込まれている。引出メインシャフト１０４が反時計方向に回転するとローラ１０７が下方へ移動するだけでこの縦溝１０５内に留まり，相対的に引出メインシャフト１０４を含む遮断器本体１０１が左方向へ引き出され試験位置にいたる。さらに引出メインシャフト１０４を回転させるとローラ１０７が上方へ移動するだけで縦溝１０５内に留まり遮断器本体１０１がさらに左方向へ引き出され断路位置にいたる。遮断器本体１０１が断路位置→試験位置→接続位置へ挿入される動作はこの逆である。
【０００４】
図８および図９を参照して，引出メインシャフト１０４には外周縁１０８ａと接続，試験及び断路位置に対応する位置決め窪み１０８ｂ，１０８ｃ，１０８ｄを有し引出メインシャフト１０４と共に回転するカム板１０８が設けられている。また，一端にローラ１１０，他端にローラ１１１，その中間に作動片１０９ａを備えたロックレバー１０９が軸１１２を中心として回転自在に設けられ，操作腕１１３ａ，係合縁１１３ｂ，傾斜縁１１３ｃを備えたロック解除レバー１１３が軸１１４を中心として回転自在に設けられている。これらロック解除レバー１１３とロックレバー１０９との間にはばね１１５が取り付けられ，それぞれ時計方向及び反時計方向に付勢されている。この付勢によってローラ１１０はカム板１０８の外周縁１０８ａと係合してカム板１０８の回転に追随して外周縁１０８ａ上を相対的に移動し，窪み１０８ｂなどの位置決め窪みにはまり込むようになっている。
【０００５】
さらに，一端にシャッタ１１７，他端にロック係合端１１６ａ，中間部に作動片１１６ｂと連結ピン１１８を備えたシャッタレバー１１６が軸１１９を中心として回転自在に設けられており，ロックレバー１０９とシャッタレバー１１６は，一端がロックレバー１０９に回転自在に支持され他端に形成された連結孔１２０ａを有するリンク板１２０によって連結ピン１１８を介して連結されている。また，一端が遮断器本体の開閉機構に取り付けられたピン１２２に連結し他端にはシャッタレバー１１６のロック係合端１１６ａと係合する係合端１２１ａを備えたインターロックレバー１２１が，引出メインシャフト１０４上に回転自在に設けられている。
【０００６】
一方，引出ねじ１０３にはロック窪み１２３が形成されており，ロック窪み１２３に対応する位置にばね１２４によって下方に付勢されたロックピン１２５が上下方向にスライド自在に設けられ，ロックピン１２５に取り付けられた操作片１２６はロックレバー１０９の作動片１０９ａと係合している。さらに，詳細は図示されていないが，遮断器本体の開閉機構は係合が解除された状態においてＯＮ操作を行ってもＯＮになることを阻止するラッチ機構を有しており，このラッチ機構に連動するトリップシャフト１２７が回転自在に設けられている。
【０００７】
このような構成を有する従来の引出型回路遮断器の動作を説明する。遮断器本体１０１が接続位置にありＯＮの状態を示している図８，図９を参照して，ローラ１１０は位置決め窪み１０８ｂにはまり込み，ロックピン１２５は引出ねじ１０３のロック窪み１２３にはまり込み，シャッタレバー１１６のロック係合端１１６ａはインターロックレバー１２１の係合端１２１ａと係合可能状態であり，引出ねじ１０３の正面側はシャッタ１１７で覆われている。
【０００８】
引出操作をするため，ロック解除レバー１１３を解除方向すなわち反時計方向に回転させると，その傾斜縁１１３ｃがローラ１１１を介してロックレバー１０９を時計方向に付勢し，リンク板１２０を介してシャッタレバー１１６を時計方向に付勢する。しかし，シャッタレバー１１６のロック係合端１１６ａがインターロックレバー１２１の係合端１２１ａと係合し，シャッタレバー１１６，ロックレバー１０９及びロック解除レバー１１３の回転が阻止される。すなわち，シャッタレバー１１６とインターロックレバー１２１は遮断器本体１０１がＯＮの状態では遮断器本体１０１を移動できないという安全性に対する第１のインターロック機能を有している。
【０００９】
このため遮断器本体１０１をＯＦＦにすると，インターロックレバー１２１が鎖線で示されているように反時計方向に回転し，シャッタレバー１１６とインターロックレバー１２１の係合可能状態が解消しシャッタレバー１１６が回転可能状態になる。この状態で，ロック解除レバー１１３をロック解除位置まで反時計方向に回転させると，ローラ１１０が位置決め窪み１０８ｂの底部から開口部付近まで移動する。このとき，シャッタレバー１１６も時計方向に回転してシャッタ１１７が引出ねじ１０３の正面から上方に退避し，さらに作動片１０９ａ，操作片１２６を介してロックピン１２５がロック窪み１２３から離脱するため引出ねじ１０３は回転可能な状態となる。回転させたロック解除レバー１１３を自由状態にすると，ばね１１５の作用力によりローラ１１１がロック解除レバー１１３の係合縁１１３ｂと係合し上述のロック解除状態が維持される。このときシャッタ１１７が上方に退避した状態にあるため操作ハンドルを容易に引出ねじ１０３に取り付けることができる。
【００１０】
操作ハンドルを操作して引出ねじ１０３を回転させると，ローラ１１０が位置決め窪み１０８ｂの開口部付近の縁に押されて外周縁１０８ａ上にのる。このとき，ロックレバー１０９はわずかに時計方向に回転してローラ１１１と係合縁１１３ｂとの係合が解消し，ロック解除レバー１１３は時計方向に回転しロックレバー１０９は反時計方向に回転し，ローラ１１０がカム板１０８の外周縁１０８ａに押し付けられ，傾斜縁１１３ｃがローラ１１１と係合した状態となる。なお，リンク板１２０の連結孔１２０ａが長孔であるため，反時計に付勢されているシャッタレバー１１６は自由状態になりシャッタ１１７が操作ハンドルの外周と係合した状態となっている。この状態においてシャッタレバー１１６の作動片１１６ｂが腕１２７ａを介してトリップシャフト１２７を反時計方向に回転させているため遮断器本体１０１の前述のラッチ機構が非係合状態にあり，移動操作中に誤って遮断器のＯＮ操作を行ってもＯＮにならないという安全性に対する第２のインターロック機能が発揮される。
【００１１】
さらに，引出ねじ１０３を回転させると，ローラ１１０が相対的にカム板１０８の外周縁１０８ａを移動して位置決め窪み１０８ｃにはまり込んだ試験位置に達し，図８および図９の状態と同様な状態となる。試験位置から断路位置への引出操作による動作も同様であり，逆に断路位置→試験位置→接続位置への挿入動作もカム板１０８が回転する方向は逆であるが上述と同様である。
【００１２】
【特許文献１】実公平２−２０１１号公報
【００１３】
【発明が解決しようとする課題】位置決め装置
上述した従来の引出型回路遮断器の位置決め装置は，引出操作中に遮断器本体１０１が所定の位置に達したことを認識する手段として，詳細は上記公報には説明されていないが，遮断器本体１０１の移動に追随して変位するインジケータが備えられていた。しかし，このインジケータは，構造上の誤差を見込んで，ある幅をもって指示する構成であったため，オペレータは確実に所定の位置に達したことに不安を感じることがあった。
したがって，本願発明は遮断器本体が所定の位置に達したことを視覚的に確実に認識できる簡単な構造の引出型回路遮断器の位置決め装置を提供することを目的とする。
【００１４】
【課題を解決するための手段】
上記の問題を解決するために，請求項１の発明は，引出枠と引出枠内の所定位置の間を移動可能な遮断器本体を有する引出型回路遮断器において，正面に操作端（１ａ）を有し外周にロック窪み（１ｃ）を有する奥行き方向に延びる引出ねじ（１）と，引出ねじを回転させることによって回転し遮断器本体を移動させる引出メインシャフト（３）と，引出メインシャフトと共に回転し外周縁（１６ａ）に所定位置に対応した位置決め窪み（１６ｂ，１６ｃ，１６ｄ，１６ｅ）が形成されたカム板（１６）と，遮断器本体の移動操作を防止するロック位置とロック解除位置との間で回転自在であってロック位置方向への付勢手段（２９）が設けられたロック解除レバー（１０）と，中継レバー（８）と，ロック解除レバーと中継レバーとを連結するリンク板Ａ（１３）と，一端が中継レバーに連結され他端（１８）がカム板の外周縁と係合するリンク板Ｂ（１５）と，リンク板の他端を外周縁と係合する方向に付勢するばね（１９）と，ロック解除操作をしたときロック解除レバーの回転をロック解除位置で停止させるストッパ（２８）と，ロック窪みと対向する位置に設けられた中継レバーの回転に連動するように設けられたロックピン（２１）と，を含み，リンク板Ｂの他端が位置決め窪みに達してロックピンがロック窪みにはまり込んだとき，リンク板Ａ及び中継レバーの変位によってロック解除レバーがロック位置へ回転し，ロック解除レバーをロック位置からロック解除位置まで回転させたのちロック解除レバーを自由状態としたとき，ロックピンがロック窪みから離脱するとともに，リンク板Ｂの他端が位置決め窪みの開口部付近まで移動して中継レバーが回転し，ばねの作用によりリンク板Ａを介してロック解除レバーをストッパと係合した状態で保持されたロック解除保持状態となり，ロック解除レバーを自由状態としたあとカム板を回転させてリンク板Ｂの他端をカム板の外周縁上に移動させたとき，中継レバーが回転してロック解除レバーがストッパから離脱し付勢手段の作用力によりロック解除保持状態が解除されることを特徴としている。
【００１５】
このような構成によって，遮断器本体が断路位置，試験位置及び接続位置などの所定の位置にあるときはリンク板Ｂの他端が位置決め窪みにはまりこんだ位置にあり，ロック解除レバーは遮断器本体を移動操作させることができないロック位置にある。遮断器本体を他の位置に移動させるためロック解除レバーをロック解除位置へ回転させたのちを自由状態にしても，ロック解除レバーがストッパに接した状態で保持されるため，ロック解除レバーがロック解除位置に保持されたロック解除保持状態となる。このときリンク板Ｂの他端は位置決め窪みの開口部付近まで移動し，ロックピンはロック窪みから離脱する。
【００１６】
この状態で引出ねじを操作するとカムが回転して，リンク板Ｂの他端が位置決め窪みの開口部付近の側縁に沿ってカムの外周縁上に移動するため，リンク板Ｂを介して中継レバーが回転して，リンク板Ａとロック解除レバーとの連結点が変位する。この変位によりロック解除レバーをストッパと接する方向に付勢していたばねの作用方向が変わり，ロック解除レバーの付勢手段の作用力によりロック解除レバーがロック方向へ回転し，一旦その回転が停止したロック解除保持状態が解消した状態となる。カムが更に回転してリンク板Ｂの他端が位置決め窪みにはまり込んだときロック解除レバーがロック位置まで大きく回転することによって遮断器本体が所定の位置に達したことを目視で確認できる。
【００１７】
請求項２の発明は、請求項１の引出型回路遮断器の位置決め装置において、中継レバーと連動するように引出ねじの操作端の前面を覆う回転自在に設けられたシャッタ（２３）と，遮断器本体の開閉機構がＯＮからＯＦＦになったとき変位するピン（５４）と中継レバーとを連結するリンク部材（５５，５２，５３）とを設け，リンク部材は，開閉機構がＯＮ位置にあるときはシャッタを閉じるとともにシャッタが開いているときは開閉機構のラッチ部材の係合を解除させて開閉機構がＯＮになることを防止するように設けられることを特徴とする。
このような構成によって一組のリンク機構でＯＮ状態において遮断器本体の移動を防止するインターロックと，シャッタが開いている状態では遮断器をＯＮにできないというインターロックを達成できる。
【００１８】
【発明の実施の形態】
本発明の実施の形態を，図１ないし図５に示されている実施例において説明する。図１は本実施例の引出型回路遮断器の位置決め装置を側面から見た図であって左側が回路遮断器の正面となっている。本実施例の位置決め装置を装着した回路遮断器の引出装置の主要部分は遮断器本体の下部に設けられており，引出ねじ１，ラック２，引出メインシャフト３を有する。引出ねじ１は保持枠４によって回転自在に保持され図において左側の正面側から奥行き方向に延び，その左端には操作ハンドルを取り付けるハンドル装着穴１ａを有し，保持枠４から右側はねじ部１ｂとなっている。ラック２は，正面側から見たときの断面が冂字状であって回転しないように保持されており，その左端部にナット５が固着され，その上面２ａには複数の孔２ｂが形成されている。正面から見たとき左右方向に配置されている引出メインシャフト３は回転自在に取り付けられており，引出メインシャフト３と共に回転する歯車６を備えている。
【００１９】
この引出装置は，操作ハンドルを操作して引出ねじ１を回転させるとナット５を介してラック２が図１ないし図３において左右方向に移動するラック方式であって，ラック２が移動することによって孔２ｂと歯車６の歯がかみ合って歯車６と共に引出メインシャフト３が回転する構造となっている。なお，引出メインシャフト３が回転したとき遮断器本体が引出枠内を移動する原理は前述の従来の技術と同様のため図示と説明を省略する。
【００２０】
本実施例の位置決め装置は，軸７によって回転自在に設けられた中継レバー８，軸９上に回転自在に設けらればね２９によって時計方向に付勢されたロック解除レバー１０，連結ピン１１及び１２によってロック解除レバー１０の連結腕１０ｂと中継レバー８の一方の腕８ａとの間に設けられたリンク板Ａ１３，連結ピン１４によって中継レバー８の他方の腕８ｂに連結されたリンク板Ｂ１５及び引出メインシャフト３と共に回転するカム板１６を有する。なお，連結ピン１１が取り付けられるロック解除レバー１０の孔は後述するように長孔となっている。
カム板１６の外周縁１６ａには，接続位置，試験位置，断路位置及び引出位置に対応する位置決め窪み１６ｂ，１６ｃ，１６ｄ及び１６ｅが形成されている。なお，引出位置は，遮断器本体を引出枠から取り出しやすいように設けられた位置であって，断路位置よりさらに引き出された位置である。リンク板Ｂ１５は，中間部に長孔１５ａを有し固定ピン１７に沿って左右方向にスライド自在であり，その先端にはローラ１８が設けられている。固定ピン１７と連結ピン１４との間にはばね１９が設けられており，中継レバー８を反時計方向に付勢するとともに，リンク板Ｂ１５を右方向へ付勢する。このためローラ１８はカム板１６の回転によって相対的に外周縁１６ａ上を移動し，窪み１６ｂなどの位置決め窪みにはまり込むようになっている。
【００２１】
また，中継レバー８にはピン２０によってロックピン２１が回転自在に保持され，ロックピン２１は保持枠４に形成された孔にはめ込まれ上下方向にスライド可能となっている。引出ねじ１のロックピン２１に対向する周縁には複数のロック窪み１ｃが形成されている。さらに，この位置決め装置には，シャッタ２３が軸２４を中心として回転自在に設けられている。シャッタ２３は，その腕に連結ピン２５を有しており，一端が連結ピン１２によって連結され，長孔２６ａにおいて他端が連結ピン２５と連結するンク板２６によって中継レバー８の動作と連動するようになっている。
【００２２】
このように構成されている位置決め装置の動作を，遮断器本体を接続位置から試験位置に引き出す場合を例として説明する。図１は遮断器本体が接続位置にあり，リンク板Ｂ１５が右方向にスライドしてローラ１８が位置決め窪み１６ｂにはまり込むとともに中継レバー８が反時計方向に回転し，ロック解除レバー１０が時計方向に回転し，遮断器本体のフロントカバー２２から突き出ているロック解除レバー１０の表示・操作腕１０ａが上方に位置し，ロックピン２１が引出ねじ１のロック窪み１ｃにはまり込み，シャッタ２３が反時計方向に回転して引出ねじ１のハンドル装着穴１ａを覆った状態となっている。
【００２３】
図１を参照して，まず準備操作として，表示・操作腕１０ａを操作してロック解除レバー１０をストッパ２８と接するロック解除位置まで反時計方向に回転させる。この回転により，リンク板Ａ１３を介して中継レバー８が時計方向に回転し，リンク板Ｂ１５が左方向にスライドし，ローラ１８が位置決め窪み１６ｂの底部から開口部付近に移動する。この動作によりロックピン２１は上方にスライドしロック窪み１ｃから離脱し，シャッタ２３がハンドル装着穴１ａの前面から上方に退避した図２に示されている状態となる。この図２の状態で連結ピン１１が，軸９と連結ピン１２を結ぶ線よりストッパ２８側に位置するため，表示・操作腕１０ａから手を離してロック解除レバー１０を自由状態にしたとき，ばね１９による中継レバー８の回転力（Ｆ）の分力（Ｆ１）は，連結ピン１２，リンク板Ａ１３及び連結ピン１１を介してロック解除レバー１０をその位置に留まらせるロック解除保持状態となる。
【００２４】
この図２の状態において，操作ハンドル２７を装着して引出ねじ１を回転させてラック２が右方向へ移動してカム板１６を時計方向に回転させる。この回転の初期において，位置決め窪み１６ｂの開口部の側縁に沿ってローラ１８が外周縁１６ａ上に移動し中継レバー８が時計方向に回転する。この回転中に，連結ピン１１がロック解除レバー１０の長孔内を移動するためロック解除レバー１０が自由状態となり，ばね２９の作用によりストッパ２８から離れて軸９と連結ピン１２を結ぶ線に関してストッパ２８と反対側に連結ピン１１が変位し，ロック解除レバー１０も時計方向に回転する。この結果，前述したロック解除位置での保持状態が解消し，ばね１９の作用によりローラ１８はカムの外周縁１６ａに押し付けられ，中継レバー８が反時計方向に回転可能であり，ロック解除レバー１０はロック位置方向への時計方向の回転が可能な図３に示されている状態となっている。このとき，位置決め窪み１６ｂの開口部から外周縁１６ａへのローラ１８の移動量がわずかであるため，ロック解除レバー１０の回転量もわずかである。
【００２５】
さらに，引出ねじ１を回転すると，図３の状態から，ローラ１８が外周縁１６ａ上を相対的に移動し試験位置に相当する位置決め窪み１６ｃにはまり込む。このときのローラ１８のはまり込み動作は，ロックピン２１が下方へわずかにスライドして引出ねじ１の外周縁に接したとき一旦停止し，さらに引出ねじ１が回転されロックピン２１が引出ねじ１の複数のロック窪み１ｃのうち最初に対向するロック窪み１ｃにはまり込んだとき位置決め窪み１６ｃにさらにはまり込む。このとき中継レバー８が反時計方向に回転することによってロック解除レバー１０が時計方向に回転し，表示・操作腕１０ａがロック位置まで上方に大きく移動する。この表示・操作腕１０ａの大きな移動によって遮断器本体が確実に所定の位置に達したことを認識できる。この状態で操作ハンドル２７を取り外しても，表示・操作腕１０ａが上方にとどまるためこの状態が維持される。このときの状態は，ローラ１８が試験位置に相当する位置決め窪み１６ｃにはまり込んでいる以外は図１の状態と同じである。
【００２６】
なお，この引出型回路遮断器には，図示及び説明は省略しているが，従来の回路遮断器と同様の遮断器本体の移動に追随してその位置を表示する位置表示装置が設けられている。このため，オペレータはこの位置表示装置と表示・操作腕１０ａがロック位置にあることによって，遮断器本体の位置と確実にその位置に移動していることを認識できる。なお，操作ハンドルが挿入されてシャッタ２３が開いている状態でも遮断器本体が所定の位置に達したときは，シャッタのピン２５がリンク板２６の長孔２６ａにおいて連結されているためレバー８の回転を阻害しない
【００２７】
なお，前述した説明において，ロック解除レバー１０を一旦ロック解除状態にした後，ロック状態に戻すリセット操作の必要が生じたときは，ばね１９の作用力（Ｆ）の分力（Ｆ１）に打ち勝つような力をロック解除レバー１０に加えてロック方向へ回転させることによって，ローラ１８を接続位置に相当する位置決め窪み１６ｂに再びはまり込むリセット操作をすることができる。すなわち，ロック解除状態で操作ハンドル２７を回転させてローラ１８を位置決め窪み１６ｂから一旦離脱させてから，操作ハンドル２７を逆転させて再びローラ１８を位置決め窪み１６ｂにはまり込ませてロック状態にするというような複雑なリセット操作をする必要がない。
【００２８】
以上，遮断器本体を接続位置から試験位置に移動させる動作について説明したが，他の位置間で移動する場合はカム１６の位置決め窪みが異なる点及び引出操作と挿入操作ではカム１６の回転方向が異なるだけでだけで動作は上述と同様である。なお，本実施例はラック型の引出装置を利用した回路遮断器であるがウォームギア―型の引出装置のものでも本発明を実施できる。
【００２９】
次に，上述した位置決め装置を有する引出型回路遮断器に適用されたインターロック装置を図４及び図５を参照して説明する。クロスバー５０及びトリップシャフト５１は，詳細な説明と図示を省略する遮断器本体の開閉機構に必須の部材として設けられている。クロスバー５０は遮断器本体の開閉接触子を操作する部材であって，時計方向に回転することによって開閉接触子を接触させて遮断器をＯＮにし，反時計方向に回転することによってＯＦＦにする。また，トリップシャフト５１は，開閉機構に含まれているラッチ機構の係合を解除する部材であって，反時計方向に回転することによってラッチ機構の係合を解除させて遮断器をＯＦＦにする機能を有する。このトリップシャフト５１が反時計方向に回転した位置にあるときは，ＯＮ操作が行われてもラッチ機構が係合しないため遮断器がＯＮにならないという機能も有する。
【００３０】
本インターロック装置は，２つの腕を有するレバー５２，連結ピン１２とレバー５２の一方の腕を連結するリンク５３，レバー５２の他方の腕とクロスバー５０と共に回転するピン５４とを連結するリンク５５，リンク５５に設けられたトリップ腕５５ａ，一方の腕がトリップシャフト５１の腕と対向し他方の腕がトリップ腕５５ａと対向するレバー５６及び，レバー５２反時計方向に付勢する図示されていないばねを有する。
【００３１】
このような構成のインターロック装置は以下のように動作する。遮断器本体が断路位置，接続位置及び断路位置などの所定の位置にあり前述した位置決め装置のロック解除レバー１０がロック位置にあるとき，図４を参照して，図示されていないばねによってリンク５３に形成されている切欠５３ａの上端が連結ピン１２を下方へ押し付けている状態にある。この状態でロック解除レバー１０をロック解除方向に回転させようとすると，連結ピン１２，リンク５３及びレバー５２を介して，リンク５５が下方に付勢されるが，その長孔５５ｂの上端がピン５４と係合する。このため，遮断器本体をＯＦＦにしてクロスバー５０及びピン５４を鎖線で示されている位置に変位させなければロック解除レバー１０をロック解除位置まで回転できない。したがって，シャッタ２３は引出ねじ１のハンドル装着穴１ａの正面側を覆った状態にあるため，遮断器本体がＯＮの状態では遮断器本体を移動させることができないというインターロック機能を有する。
【００３２】
次に，遮断器本体がＯＦＦの状態で遮断器本体を移動させている途中においては，図５を参照してロック解除レバー１０がロック解除の位置にあるため，連結ピン１２が切欠５３ａの上端においてリンク５３を上方へ押し上げ，レバー５２が時計方向に回転し，リンク５５が下方に引き下げられた状態にある。この状態においては，トリップ腕５５ａを介してレバー５６が時計方向に回転し，トリップシャフト５１が反時計方向に回転して開閉機構のラッチ機構を非係合状態にしているため，ＯＮ操作が行われても開閉接触子はＯＮにならない。したがって，遮断器本体を移動中はＯＮすることができないというインターロック機能を有する。
【００３３】
【発明の効果】
本発明は，以上説明した形態で実施され，遮断器本体が断路，試験又は接続の各位置のいずれかの所定の位置に達したときにロック解除レバーが大きく回転することによって視覚的に確実に認識できるように構成したため，オペレータが安心して遮断器本体の移動操作をできるという効果を奏する。
【図面の簡単な説明】
【図１】本実施例による位置決め装置を備えた引出型回路遮断器の遮断器本体が接続位置にあるときの側面を示す部分図である。
【図２】遮断器本体を接続位置から試験位置に引き出す操作を行う初期の状態を示す図１相当図である。
【図３】遮断器本体を接続位置から試験位置に引き出す操作を行っている途中の状態を示す図１相当図である。
【図４】本実施例による位置決め装置に適用されたインターロック装置の構成を説明する要部側面図である。
【図５】本実施例による位置決め装置に適用されたインターロック装置の構成を説明する要部側面図である。
【図６】従来の位置決め装置を設けた引出型回路遮断器の正面図である。
【図７】図６の回路遮断器の遮断器本体の移動動作を説明する部分的な側面図である。
【図８】図６の回路遮断器の位置決め装置を説明する部分的な側面図である。
【図９】図６の回路遮断器の位置決め装置を説明する部分的な側面図であって，図８とは異なる切り口から見た図である。
【符号の説明】
１  引出ねじ，１ａ  ハンドル装着穴，１ｂ  ねじ部，１ｃ  ロック窪み
２  ラック，２ａ  上面，２ｂ  孔
３  引出メインシャフト
４  保持枠
５  ナット
６  歯車
７，９，２４  軸
８  中継レバー，８ａ  一方の腕，８ｂ  他方の腕
１０  ロック解除レバー，１０ａ  表示・操作腕，１０ｂ  連結腕
１１，１２，１３，２０，２５  連結ピン
１３  リンク板Ａ
１５  リンク板Ｂ，１５ａ  長孔
１６  カム板１６，１６ａ  外周縁，１６ｂ，１６ｃ，１６ｄ，１６ｅ  位置決め窪み
１７  固定ピン
１８  ローラ
１９，２９  ばね
２１  ロックピン
２２  フロントカバー
２３  シャッタ
２６  リンク板，２６ａ  孔
２７  操作ハンドル
２８  ストッパ
５０  クロスバー
５１  トリップシャフト
５２  レバー
５３  リンク，５３ａ  切欠
５４  ピン
５５  リンク，５５ａ  トリップ腕，５５ｂ  長孔
５６  レバー
【図１】
2004304858.tif 000003
【図２】
2004304858.tif 000004
【図３】
2004304858.tif 000005
【図４】
2004304858.tif 000006
【図５】
2004304858.tif 000007
【図６】
2004304858.tif 000008
【図７】
2004304858.tif 000009
【図８】
2004304858.tif 000010
【図９】
2004304858.tif 000011